【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
タービンから排出された蒸気を復水するＶ型熱交換器（１）であって、
第１の一次チューブセット（９１）であって、前記第１のセット（９１）の一次チューブは、垂直面（Ｖ）に対して角度δ１だけ傾斜して並列配置された単列復水チューブであり、１５°＜δ１＜８０°、好ましくは２０°＜δ１＜４０°である、前記第１の一次チューブセット（９１）と、
第２の一次チューブセット（９４）であって、前記第２のセット（９４）の一次チューブは、前記垂直面（Ｖ）に対して角度δ２だけ傾斜して並列配置された単列復水チューブであり、１５°＜δ２＜８０°、好ましくは２０°＜δ２＜４０°であり、前記第１の一次チューブセット（９１）と前記第２の一次チューブセット（９４）との間に開き角度δ＝δ１＋δ２が形成される、前記第２の一次チューブセット（９４）と、
前記第１の一次チューブセット（９１）の一次チューブのチューブ下端に連結されていて、且つ、前記第２の一次チューブセット（９４）の一次チューブのチューブ下端に連結されている蒸気供給マニホールド（２１）であって、
ａ）前記排出蒸気を、前記第１の一次チューブセット（９１）及び前記第２の一次チューブセット（９４）の一次チューブのチューブ下端に移送する蒸気供給部（６５）と、
ｂ）前記第１の一次チューブセット（９１）及び前記第２の一次チューブセット（９４）の一次チューブから復水を排出するように構成された復水ドレン部（６１）と、
を含む前記蒸気供給マニホールド（２１）と、
を含み、
前記Ｖ型熱交換器（１）は、
第１の二次チューブセット（９２）であって、前記第１のセットの二次チューブは、前記垂直面（Ｖ）に対して前記角度δ１だけ傾斜して並列配置された単列復水チューブである、前記第１の二次チューブセット（９２）と、
第２の二次チューブセット（９５）であって、前記前記第２のセットの二次チューブは、前記垂直面（Ｖ）に対して前記角度δ２だけ傾斜して並列配置された単列復水チューブであり、それによって、前記第１の二次チューブセット（９２）と前記第２の二次チューブセット（９５）との間に前記開き角度δ＝δ１＋δ２が形成される、前記第２の二次チューブセット（９５）と、
少なくとも第１の三次チューブセット（９３）であって、前記第１のセットの三次チューブは、前記垂直面（Ｖ）に対して前記角度δ１だけ傾斜して並列配置されており、好ましくは前記三次チューブは単列復水チューブである、前記少なくとも第１の三次チューブセット（９３）と、
前記第１の一次チューブセット（９１）の一次チューブのチューブ上端と前記第１の二次チューブセット（９２）の二次チューブのチューブ上端とを連結している第１の上部接続マニホールド（３１）と、
前記第２の一次チューブセット（９４）の一次チューブのチューブ上端と前記第２の二次チューブセット（９５）の二次チューブのチューブ上端とを連結している第２の上部接続マニホールド（３２）と、
前記第１の二次チューブセット（９２）の二次チューブのチューブ下端と連結されていて、前記第２の二次チューブセット（９５）の二次チューブのチューブ下端と連結されていて、前記少なくとも第１の三次チューブセット（９３）の三次チューブのチューブ下端と連結されている下部接続マニホールド（２２）と、
非凝縮性ガスを排出する少なくとも第１の排出マニホールド（４１）であって、前記少なくとも第１の三次チューブセット（９３）の三次チューブのチューブ上端と連結されている前記第１の排出マニホールド（４１）と、
を含み、
前記下部接続マニホールド（２２）は、
前記第１の二次チューブセット（９２）及び前記第２の二次チューブセット（９５）の二次チューブから復水を排出することと、前記少なくとも第１の三次チューブセット（９３）の三次チューブから復水を排出することと、を行うように構成されてたドレン手段（６２）
を含む
ことを特徴とする前記Ｖ型熱交換器（１）。
【請求項２】
第２の三次チューブセット（９６）であって、前記第２のセット（９６）の三次チューブは、前記垂直面（Ｖ）に対して前記角度δ２だけ傾斜して並列配置されており、それによって、前記第１の三次チューブセット（９３）と前記第２の三次チューブセット（９６）との間に前記開き角度δ＝δ１＋δ２が形成されており、前記下部接続マニホールド（２２）は、前記第２の三次チューブセット（９６）の三次チューブのチューブ下端と連結されており、好ましくは前記第２のセット（９６）の前記三次チューブは単列復水チューブである、前記第２の三次チューブセット（９６）と、
非凝縮性ガスを排出する第２の排出マニホールド（４２）であって、前記第２の排出マニホールド（４２）は前記第２の三次チューブセット（９６）の三次チューブのチューブ上端と連結されており、前記第２の三次チューブセット（９６）の三次チューブから復水を排出するように前記ドレン手段（６２）が更に構成されている、前記第２の排出マニホールド（４２）と、
を含む、請求項１に記載のＶ型熱交換器（１）。
【請求項３】
前記蒸気供給マニホールド（２１）は、前記蒸気供給部（６５）と前記復水ドレン部（６１）とを仕切るバッフル（２５）を含む、請求項１に記載のＶ型熱交換器（１）。
【請求項４】
前記蒸気供給マニホールド（２１）は、前記下部接続マニホールド（２２）を形成する仕切られた区画を含む、請求項１に記載のＶ型熱交換器（１）。
【請求項５】
前記仕切られた区画は、前記蒸気供給マニホールド（２１）の内側に１つ以上の金属プレートを溶接することによって形成される、請求項４に記載のＶ型熱交換器（１）。
【請求項６】
前記下部接続マニホールド（２２）は、前記ドレン手段（６２）を形成する下部区画を含む、請求項１に記載のＶ型熱交換器（１）。
【請求項７】
前記下部接続マニホールド（２２）は、第１の接続部（２２ａ）及び第２の接続部（２２ｂ）を含み、前記第１の接続部（２２ａ）は、前記第１の二次チューブセット（９２）の二次チューブのチューブ下端を、前記第１の三次チューブセット（９３）の三次チューブのチューブ下端に接続しており、前記第２の接続部（２２ｂ）は、前記第２の二次チューブセット（９５）の二次チューブのチューブ下端を、前記第２の三次チューブセット（９６）の三次チューブのチューブ下端に接続している、請求項２〜５のいずれか一項に記載のＶ型熱交換器（１）。
【請求項８】
前記第１の接続部（２２ａ）及び前記第２の接続部（２２ｂ）は、第１の復水ドレン収集部（６２ａ）及び第２の復水ドレン収集部（６２ｂ）をそれぞれ含み、前記第１の復水ドレン収集部（６２ａ）及び前記第２の復水ドレン収集部（６２ｂ）は前記下部接続マニホールド（２２）の前記ドレン手段（６２）を形成している、請求項７に記載のＶ型熱交換器（１）。
【請求項９】
前記第１の一次チューブセットの一次チューブが１つ以上の一次チューブバンドルにまとめられているか、且つ／又は前記第２の一次チューブセットの一次チューブが１つ以上の別の一次チューブバンドルにまとめられているか、且つ／又は前記第１の二次チューブセットの二次チューブが１つ以上の二次チューブバンドルにまとめられているか、且つ／又は前記第２の二次チューブセットの二次チューブが１つ以上の別の二次チューブバンドルにまとめられているか、且つ／又は前記第１の三次チューブセットの三次チューブが１つ以上の三次チューブバンドルにまとめられているか、且つ／又は前記第２の三次チューブセットの三次チューブが１つ以上の別の三次チューブバンドルにまとめられている、請求項１に記載のＶ型熱交換器（１）。
【請求項１０】
前記復水ドレン部（６１）は、復水収集タンクに連結される第１の復水出力を含み、前記ドレン手段（６２）は、前記復水収集タンクに連結される第２の復水出力を含む、請求項１に記載のＶ型熱交換器（１）。
【請求項１１】
前記第１の一次チューブセット（９１）及び前記第２の一次チューブセット（９４）の一次チューブ、並びに前記第１の二次チューブセット（９２）及び前記第２の二次チューブセット（９５）の二次チューブは、チューブ長さが４〜７メートルの範囲にある、請求項１に記載のＶ型熱交換器（１）。
【請求項１２】
タービンから排出された蒸気を復水するＷ型熱交換器（２）であって、
請求項１〜１１のいずれか一項に記載の第１のＶ型熱交換器（１ａ）と、
前記第１のＶ型熱交換器（１ａ）に隣接して配置された、請求項１〜１１のいずれか一項に記載の第２のＶ型熱交換器（１ｂ）であって、前記第１のＶ型熱交換器の蒸気供給マニホールドと前記第２のＶ型熱交換器の蒸気供給マニホールドとが平行に配置されている、前記第２のＶ型熱交換器（１ｂ）と、
を含むＷ型熱交換器（２）。
【請求項１３】
前記第１のＶ型熱交換器（１ａ）の第２の上部接続マニホールドと前記第２のＶ型熱交換器（１ｂ）の第１の上部接続マニホールドとが、前記第１のＶ型熱交換器（１ａ）及び前記第２のＶ型熱交換器（１ｂ）用の単一の共通上部接続マニホールド（３３）を形成している、請求項１２に記載のＷ型熱交換器（２）。
【請求項１４】
請求項１２に記載のＷ型熱交換器（２）と、
前記Ｗ型熱交換器（２）を地上床（８５）から持ち上げるように構成された支持土台（８０）と、
前記Ｗ型熱交換器（２）に冷却用空気を供給するように構成されたファン（７１）と、
を含む空冷復水器（１０）。
【請求項１５】
請求項１〜１１のいずれか一項に記載のＶ型熱交換器（1）と、
前記蒸気供給マニホールド（２１）の前記復水ドレン部（６１）に連結されていて、且つ、前記下部接続マニホールド（２２）の前記ドレン手段（６２）に連結されている復水収集タンクと、
を含む空冷復水器（１０）。
【請求項１６】
空冷復水器を使用して、タービンから排出された蒸気を復水する方法であって、
第１の一次チューブセット（９１）を設けるステップであって、前記第１のセット（９１）の一次チューブは、垂直面（Ｖ）に対して角度δ１だけ傾斜して並列配置された単列復水チューブであり、１５°＜δ１＜８０°、好ましくは２０°＜δ１＜４０°である、前記第１の一次チューブセット（９１）を設ける前記ステップと、
第２の一次チューブセット（９４）を設けるステップであって、前記第２のセット（９４）の一次チューブは、前記垂直面（Ｖ）に対して角度δ２だけ傾斜して並列配置された単列復水チューブであり、１５°＜δ２＜８０°、好ましくは２０°＜δ２＜４０°であり、前記第１の一次チューブセット（９１）と前記第２の一次チューブセット（９４）との間に開き角度δ＝δ１＋δ２が形成される、前記第２の一次チューブセット（９４）を設ける前記ステップと、
第１の二次チューブセット（９２）を設けるステップであって、前記第１のセットの二次チューブは、前記垂直面（Ｖ）に対して前記角度δ１だけ傾斜して並列配置された単列復水チューブである、前記第１の二次チューブセット（９２）を設ける前記ステップと、
第２の二次チューブセット（９５）を設けるステップであって、前記前記第２のセットの二次チューブは、前記垂直面（Ｖ）に対して前記角度δ２だけ傾斜して並列配置された単列復水チューブであり、それによって、前記第１の二次チューブセット（９２）と前記第２の二次チューブセット（９５）との間に前記開き角度δ＝δ１＋δ２が形成される、前記第２の二次チューブセット（９５）を設ける前記ステップと、
少なくとも第１の三次チューブセット（９３）を設けるステップであって、前記第１のセットの三次チューブは、前記垂直面（Ｖ）に対して前記角度δ１だけ傾斜して並列配置されており、好ましくは前記三次チューブは単列復水チューブである、前記少なくとも第１の三次チューブセット（９３）を設ける前記ステップと、
前記第１の一次チューブセット（９１）及び前記第２の一次チューブセット（９４）の一次チューブの下端に前記排出蒸気を供給するステップと、
前記第１の一次チューブセット内で復水されなかった第１の残った蒸気を前記第１の一次チューブセットの一次チューブの上端に集めて、前記第１の残った蒸気を、前記第１の二次チューブセット（９２）の前記二次チューブの上端に供給するステップと、
前記第２の一次チューブセット内で復水されなかった第２の残った蒸気を前記第２の一次チューブセット（９４）の一次チューブの上端に集めて、前記第２の残った蒸気を、前記第２の二次チューブセット（９５）の二次チューブの上端に供給するステップと、
前記第１及び第２の二次チューブセットの二次チューブ内で復水されなかった更なる残った蒸気を前記第１及び第２の二次チューブセットの二次チューブの下端に集めて、前記更なる残った蒸気を、前記少なくとも第１の三次チューブセット（９３）の前記三次チューブの下端に供給するステップと、
前記少なくとも第１の三次チューブセット（９３）の三次チューブのチューブ上端において非凝縮性ガスを排出するステップと、
前記第１及び第２の一次チューブセットの一次チューブから、且つ前記第１及び第２の二次チューブセットの二次チューブから、且つ前記少なくとも第１の三次チューブセットの三次チューブセットから復水を集めて、前記集められた復水を復水収集タンクに向けて排出するステップと、
を含む方法。
【手続補正２】
【補正対象書類名】明細書
【補正対象項目名】００５５
【補正方法】変更
【補正の内容】
【００５５】
好ましい実施形態では、図４に示されるように、本発明によるＶ型熱交換器は、
第２の三次チューブセット９６を含み、第２のセットの三次チューブは、垂直面Ｖに対して角度δ２だけ傾斜して並列配置されている。このジオメトリでは、第１の三次チューブセット９３と第２の三次チューブセット９６との間にも開き角度δ＝δ１＋δ２が形成される。
【手続補正３】
【補正対象書類名】明細書
【補正対象項目名】００５６
【補正方法】変更
【補正の内容】
【００５６】
これらの好ましい実施形態では、下部接続マニホールド２２は、第２の三次チューブセット９６の三次チューブのチューブ下端とも連結されている。第２の三次チューブセット９６の三次チューブも単列復水チューブであることが好ましい。図４に概略的に示されるように、非凝縮性ガスを排出する第２の排出マニホールド４２が、第２の三次チューブセット９６の三次チューブのチューブ上端と連結されている。これらの好ましい実施形態では、ドレン手段６２は更に、第２の三次チューブセット９６の三次チューブから復水を排出するように構成されている。
【手続補正４】
【補正対象書類名】明細書
【補正対象項目名】００７８
【補正方法】変更
【補正の内容】
【００７８】
図５に示された代替実施形態では、下部接続マニホールド２２は、２つの別々のキャビティで形成される。この実施形態では、下部接続マニホールド２２は、それら２つのキャビティに相当する第１の接続部２２ａ及び第２の接続部２２ｂを含む。第１の接続部２２ａは、第１の二次チューブセット９２の二次チューブのチューブ下端を、第１の三次チューブセット９３の三次チューブのチューブ下端に接続している。第２の接続部２２ｂは、第２の二次チューブセット９５の二次チューブのチューブ下端を、第２の三次チューブセット９６の三次チューブのチューブ下端に接続している。第１及び第２の接続部は、例えば、第１及び第２のチューブ要素を主蒸気供給マニホールドの内側に溶接することによって形成可能である。このようにして、主蒸気供給マニホールド内に２つの別々のキャビティが形成される。
【手続補正５】
【補正対象書類名】明細書
【補正対象項目名】００８８
【補正方法】変更
【補正の内容】
【００８８】
別の実施形態では、図１１に示されるように、空冷復水器１０は、２つ以上のＷ型熱交換器２ａ及び２ｂを含む。この２つ以上のＷ型熱交換器２ａ、２ｂは、この２つ以上のＷ型熱交換器のそれぞれの蒸気供給マニホールド２１同士が平行になるように、互いに隣接して配置される。これらの実施形態の場合も、この２つ以上のＷ型熱交換器２ａ、２ｂを地上床８５から持ち上げるように支持土台８０が構成されている。この２つ以上のＷ型熱交換器を通る気流を引き起こすように構成された１つ以上のファン７１が用意され、支持アセンブリ７０がその１つ以上のファンを支持する。
【手続補正６】
【補正対象書類名】明細書
【補正対象項目名】００９２
【補正方法】変更
【補正の内容】
【００９２】
ある要素の前に付く冠詞「ａ」、「ａｎ」、又は「ｔｈｅ」の使用は、そのような要素が複数存在することを排除しない。
〔付記１〕
タービンから排出された蒸気を復水するＶ型熱交換器（１）であって、
第１の一次チューブセット（９１）であって、前記第１のセット（９１）の一次チューブは、垂直面（Ｖ）に対して角度δ１だけ傾斜して並列配置された単列復水チューブであり、１５°＜δ１＜８０°、好ましくは２０°＜δ１＜４０°である、前記第１の一次チューブセット（９１）と、
第２の一次チューブセット（９４）であって、前記第２のセット（９４）の一次チューブは、前記垂直面（Ｖ）に対して角度δ２だけ傾斜して並列配置された単列復水チューブであり、１５°＜δ２＜８０°、好ましくは２０°＜δ２＜４０°であり、前記第１の一次チューブセット（９１）と前記第２の一次チューブセット（９４）との間に開き角度δ＝δ１＋δ２が形成される、前記第２の一次チューブセット（９４）と、
前記第１の一次チューブセット（９１）の一次チューブのチューブ下端に連結されていて、且つ、前記第２の一次チューブセット（９４）の一次チューブのチューブ下端に連結されている蒸気供給マニホールド（２１）であって、
ａ）前記排出蒸気を、前記第１の一次チューブセット（９１）及び前記第２の一次チューブセット（９４）の一次チューブのチューブ下端に移送する蒸気供給部（６５）と、
ｂ）前記第１の一次チューブセット（９１）及び前記第２の一次チューブセット（９４）の一次チューブから復水を排出するように構成された復水ドレン部（６１）と、
を含む前記蒸気供給マニホールド（２１）と、
を含み、
前記Ｖ型熱交換器（１）は、
第１の二次チューブセット（９２）であって、前記第１のセットの二次チューブは、前記垂直面（Ｖ）に対して前記角度δ１だけ傾斜して並列配置された単列復水チューブである、前記第１の二次チューブセット（９２）と、
第２の二次チューブセット（９５）であって、前記前記第２のセットの二次チューブは、前記垂直面（Ｖ）に対して前記角度δ２だけ傾斜して並列配置された単列復水チューブであり、それによって、前記第１の二次チューブセット（９２）と前記第２の二次チューブセット（９５）との間に前記開き角度δ＝δ１＋δ２が形成される、前記第２の二次チューブセット（９５）と、
少なくとも第１の三次チューブセット（９３）であって、前記第１のセットの三次チューブは、前記垂直面（Ｖ）に対して前記角度δ１だけ傾斜して並列配置されており、好ましくは前記三次チューブは単列復水チューブである、前記少なくとも第１の三次チューブセット（９３）と、
前記第１の一次チューブセット（９１）の一次チューブのチューブ上端と前記第１の二次チューブセット（９２）の二次チューブのチューブ上端とを連結している第１の上部接続マニホールド（３１）と、
前記第２の一次チューブセット（９４）の一次チューブのチューブ上端と前記第２の二次チューブセット（９５）の二次チューブのチューブ上端とを連結している第２の上部接続マニホールド（３２）と、
前記第１の二次チューブセット（９２）の二次チューブのチューブ下端と連結されていて、前記第２の二次チューブセット（９５）の二次チューブのチューブ下端と連結されていて、前記少なくとも第１の三次チューブセット（９３）の三次チューブのチューブ下端と連結されている下部接続マニホールド（２２）と、
非凝縮性ガスを排出する少なくとも第１の排出マニホールド（４１）であって、前記少なくとも第１の三次チューブセット（９３）の三次チューブのチューブ上端と連結されている前記第１の排出マニホールド（４１）と、
を含み、
前記下部接続マニホールド（２２）は、
前記第１の二次チューブセット（９２）及び前記第２の二次チューブセット（９５）の二次チューブから復水を排出することと、前記少なくとも第１の三次チューブセット（９３）の三次チューブから復水を排出することと、を行うように構成されてたドレン手段（６２）
を含む
ことを特徴とする前記Ｖ型熱交換器（１）。
〔付記２〕
第２の三次チューブセット（９６）であって、前記第２のセット（９６）の三次チューブは、前記垂直面（Ｖ）に対して前記角度δ２だけ傾斜して並列配置されており、それによって、前記第１の三次チューブセット（９３）と前記第２の三次チューブセット（９６）との間に前記開き角度δ＝δ１＋δ２が形成されており、前記下部接続マニホールド（２２）は、前記第２の三次チューブセット（９６）の三次チューブのチューブ下端と連結されており、好ましくは前記第２のセット（９６）の前記三次チューブは単列復水チューブである、前記第２の三次チューブセット（９６）と、
非凝縮性ガスを排出する第２の排出マニホールド（４２）であって、前記第２の排出マニホールド（４２）は前記第２の三次チューブセット（９６）の三次チューブのチューブ上端と連結されており、前記第２の三次チューブセット（９６）の三次チューブから復水を排出するように前記ドレン手段（６２）が更に構成されている、前記第２の排出マニホールド（４２）と、
を含む、付記１に記載のＶ型熱交換器（１）。
〔付記３〕
前記蒸気供給マニホールド（２１）は、前記蒸気供給部（６５）と前記復水ドレン部（６１）とを仕切るバッフル（２５）を含む、付記１〜２のいずれか一項に記載のＶ型熱交換器（１）。
〔付記４〕
前記蒸気供給マニホールド（２１）は、前記下部接続マニホールド（２２）を形成する仕切られた区画を含む、付記１〜３のいずれか一項に記載のＶ型熱交換器（１）。
〔付記５〕
前記仕切られた区画は、前記蒸気供給マニホールド（２１）の内側に１つ以上の金属プレートを溶接することによって形成される、付記４に記載のＶ型熱交換器（１）。
〔付記６〕
前記下部接続マニホールド（２２）は、前記ドレン手段（６２）を形成する下部区画を含む、付記１〜５のいずれか一項に記載のＶ型熱交換器（１）。
〔付記７〕
前記下部接続マニホールド（２２）は、第１の接続部（２２ａ）及び第２の接続部（２２ｂ）を含み、前記第１の接続部（２２ａ）は、前記第１の二次チューブセット（９２）の二次チューブのチューブ下端を、前記第１の三次チューブセット（９３）の三次チューブのチューブ下端に接続しており、前記第２の接続部（２２ｂ）は、前記第２の二次チューブセット（９５）の二次チューブのチューブ下端を、前記第２の三次チューブセット（９６）の三次チューブのチューブ下端に接続している、付記２〜５のいずれか一項に記載のＶ型熱交換器（１）。
〔付記８〕
前記第１の接続部（２２ａ）及び前記第２の接続部（２２ｂ）は、第１の復水ドレン収集部（６２ａ）及び第２の復水ドレン収集部（６２ｂ）をそれぞれ含み、前記第１の復水ドレン収集部（６２ａ）及び前記第２の復水ドレン収集部（６２ｂ）は前記下部接続マニホールド（２２）の前記ドレン手段（６２）を形成している、付記７に記載のＶ型熱交換器（１）。
〔付記９〕
前記第１の一次チューブセットの一次チューブが１つ以上の一次チューブバンドルにまとめられているか、且つ／又は前記第２の一次チューブセットの一次チューブが１つ以上の別の一次チューブバンドルにまとめられているか、且つ／又は前記第１の二次チューブセットの二次チューブが１つ以上の二次チューブバンドルにまとめられているか、且つ／又は前記第２の二次チューブセットの二次チューブが１つ以上の別の二次チューブバンドルにまとめられているか、且つ／又は前記第１の三次チューブセットの三次チューブが１つ以上の三次チューブバンドルにまとめられているか、且つ／又は前記第２の三次チューブセットの三次チューブが１つ以上の別の三次チューブバンドルにまとめられている、付記１〜８のいずれか一項に記載のＶ型熱交換器（１）。
〔付記１０〕
前記復水ドレン部（６１）は、復水収集タンクに連結される第１の復水出力を含み、前記ドレン手段（６２）は、前記復水収集タンクに連結される第２の復水出力を含む、付記１〜９のいずれか一項に記載のＶ型熱交換器（１）。
〔付記１１〕
前記第１の一次チューブセット（９１）及び前記第２の一次チューブセット（９４）の一次チューブ、並びに前記第１の二次チューブセット（９２）及び前記第２の二次チューブセット（９５）の二次チューブは、チューブ長さが４〜７メートルの範囲にある、付記１〜１０のいずれか一項に記載のＶ型熱交換器（１）。
〔付記１２〕
タービンから排出された蒸気を復水するＷ型熱交換器（２）であって、
付記１〜１１のいずれか一項に記載の第１のＶ型熱交換器（１ａ）と、
前記第１のＶ型熱交換器（１ａ）に隣接して配置された、付記１〜１１のいずれか一項に記載の第２のＶ型熱交換器（１ｂ）であって、前記第１のＶ型熱交換器の蒸気供給マニホールドと前記第２のＶ型熱交換器の蒸気供給マニホールドとが平行に配置されている、前記第２のＶ型熱交換器（１ｂ）と、
を含むＷ型熱交換器（２）。
〔付記１３〕
前記第１のＶ型熱交換器（１ａ）の第２の上部接続マニホールドと前記第２のＶ型熱交換器（１ｂ）の第１の上部接続マニホールドとが、前記第１のＶ型熱交換器（１ａ）及び前記第２のＶ型熱交換器（１ｂ）用の単一の共通上部接続マニホールド（３３）を形成している、付記１２に記載のＷ型熱交換器（２）。
〔付記１４〕
付記１２又は付記１３に記載のＷ型熱交換器（２）と、
前記Ｗ型熱交換器（２）を地上床（８５）から持ち上げるように構成された支持土台（８０）と、
前記Ｗ型熱交換器（２）に冷却用空気を供給するように構成されたファン（７１）と、
を含む空冷復水器（１０）。
〔付記１５〕
付記１〜１１のいずれか一項に記載のＶ型熱交換器（1）と、
前記蒸気供給マニホールド（２１）の前記復水ドレン部（６１）に連結されていて、且つ、前記下部接続マニホールド（２２）の前記ドレン手段（６２）に連結されている復水収集タンクと、
を含む空冷復水器（１０）。
〔付記１６〕
空冷復水器を使用して、タービンから排出された蒸気を復水する方法であって、
第１の一次チューブセット（９１）を設けるステップであって、前記第１のセット（９１）の一次チューブは、垂直面（Ｖ）に対して角度δ１だけ傾斜して並列配置された単列復水チューブであり、１５°＜δ１＜８０°、好ましくは２０°＜δ１＜４０°である、前記第１の一次チューブセット（９１）を設ける前記ステップと、
第２の一次チューブセット（９４）を設けるステップであって、前記第２のセット（９４）の一次チューブは、前記垂直面（Ｖ）に対して角度δ２だけ傾斜して並列配置された単列復水チューブであり、１５°＜δ２＜８０°、好ましくは２０°＜δ２＜４０°であり、前記第１の一次チューブセット（９１）と前記第２の一次チューブセット（９４）との間に開き角度δ＝δ１＋δ２が形成される、前記第２の一次チューブセット（９４）を設ける前記ステップと、
第１の二次チューブセット（９２）を設けるステップであって、前記第１のセットの二次チューブは、前記垂直面（Ｖ）に対して前記角度δ１だけ傾斜して並列配置された単列復水チューブである、前記第１の二次チューブセット（９２）を設ける前記ステップと、
第２の二次チューブセット（９５）を設けるステップであって、前記前記第２のセットの二次チューブは、前記垂直面（Ｖ）に対して前記角度δ２だけ傾斜して並列配置された単列復水チューブであり、それによって、前記第１の二次チューブセット（９２）と前記第２の二次チューブセット（９５）との間に前記開き角度δ＝δ１＋δ２が形成される、前記第２の二次チューブセット（９５）を設ける前記ステップと、
少なくとも第１の三次チューブセット（９３）を設けるステップであって、前記第１のセットの三次チューブは、前記垂直面（Ｖ）に対して前記角度δ１だけ傾斜して並列配置されており、好ましくは前記三次チューブは単列復水チューブである、前記少なくとも第１の三次チューブセット（９３）を設ける前記ステップと、
前記第１の一次チューブセット（９１）及び前記第２の一次チューブセット（９４）の一次チューブの下端に前記排出蒸気を供給するステップと、
前記第１の一次チューブセット内で復水されなかった第１の残った蒸気を前記第１の一次チューブセットの一次チューブの上端に集めて、前記第１の残った蒸気を、前記第１の二次チューブセット（９２）の前記二次チューブの上端に供給するステップと、
前記第２の一次チューブセット内で復水されなかった第２の残った蒸気を前記第２の一次チューブセット（９４）の一次チューブの上端に集めて、前記第２の残った蒸気を、前記第２の二次チューブセット（９５）の二次チューブの上端に供給するステップと、
前記第１及び第２の二次チューブセットの二次チューブ内で復水されなかった更なる残った蒸気を前記第１及び第２の二次チューブセットの二次チューブの下端に集めて、前記更なる残った蒸気を、前記少なくとも第１の三次チューブセット（９３）の前記三次チューブの下端に供給するステップと、
前記少なくとも第１の三次チューブセット（９３）の三次チューブのチューブ上端において非凝縮性ガスを排出するステップと、
前記第１及び第２の一次チューブセットの一次チューブから、且つ前記第１及び第２の二次チューブセットの二次チューブから、且つ前記少なくとも第１の三次チューブセットの三次チューブセットから復水を集めて、前記集められた復水を復水収集タンクに向けて排出するステップと、
を含む方法。